(57)【要約】【課題】皮膚の状況に応じた種々の材質や形状のタッピングパッドを交換自在にして継続的使用を可能にし、且つタッピングの効果を向上させることができる美顔器を提供する。【解決手段】タッピング手段２と、当該タッピング手段２にタッピング動作を生起させるタッピング駆動手段３と、前記タッピング駆動手段３の動作を制御するタッピング制御手段４とを有してなる美顔器１において、前記タッピング手段２はタッピングパッド２１とタッピングパッド固定部２２を備え、前記タッピングパッド固定部２２と前記タッピング駆動手段３とを交換可能に繋止した。【選択図】図３
2013119018.tif 000002
【特許請求の範囲】
【請求項１】
タッピング手段と、当該タッピング手段にタッピング動作を生起させるタッピング駆動手段と、前記タッピング駆動手段の動作を制御するタッピング制御手段とを有してなる美顔器において、前記タッピング手段はタッピングパッドとタッピングパッド固定部を備え、前記タッピングパッド固定部と前記タッピング駆動手段とを交換可能に繋止したことを特徴とする美顔器。
【請求項２】
前記タッピングパッドは、トルマリン粒子、セラミック粒子、ゲルマニウム粒子または金属シリコン粒子のうちのいずれかを一つを含有することを特徴とする請求項１に記載の美顔器。
【発明の詳細な説明】
【技術分野】
【０００１】
本発明は顔などの皮膚に連続的に機械的刺激を与え、美容上の効果をもたらす美顔器に関する。
【背景技術】
【０００２】
従来、顔などの皮膚表面に外的刺激を与えて整肌美容を行う主な手段として、冷却法、温熱法、赤外線照射法、低周波パルス電圧を印加する低周波美容法などが提案され、これまでに、その各刺激要素に応じた各種の美容器具類が開発されてきている。
【０００３】
また、顔などの皮膚表面を手のひらや指で叩くタッピング美容法も知られており、下記の特許文献１に関連技術が開示されている。なお、以降の説明において、顔などの皮膚表面を連続して叩く動作を便宜上タッピングと称する。
【０００４】
次に、図５に基づいて特許文献１に開示された従来技術の概要を説明する。
図中１００は顔などの皮膚表面をタッピングするパッド、２００はこのパッド１００を取付けるためのクランプねじ、３００はシャフト５００を支持するための軸受、４００はシャフト５００の戻しスプリング、６００はソレノイドコイル、７００はソレノイドコイル６００の中心に挿通させるアマチュアーである。
【０００５】
この従来技術においては、ソレノイドコイル６００の通電時にはアマチュアー７００に対して力が働き、戻しスプリング４００の力に打ち勝ってシャフト５００が前方へ押し出される。このときパッド１００は本体８００の先端より突出して皮膚などをタッピングする。次に、ソレノイドコイル６００の通電が遮断されるとシャフト５００などには戻しスプリング４００による戻す力のみが働き、元の位置に復帰する。したがって、ソレノイドコイル６００に対する通電が断続的に行なわれれば、それによりパッド１００が本体８００から連続的に突出する運動となり、パッド１００で顔をタッピングして美容上の効果を生じさせるものである。
【先行技術文献】
【特許文献】
【０００６】
【特許文献１】特開平５−１１１５２０号公報
【発明の概要】
【発明が解決しようとする課題】
【０００７】
特許文献１に開示された美顔器具においては、電気的な駆動条件、すなわち押す圧力や押す時間、周期などを変え、様々な刺激パターンを設定することは可能であるが、顔に対する機械的刺激はパッドの形状や構造で決まる限られたものになり、同種の機械的動作が繰り返されることになるので、顔などに対する刺激が単調になり、使用者は飽きてしまい継続的使用が困難になるという問題点があった。
【０００８】
本発明は上記した従来の美顔器具の問題点を解消し、皮膚の状況に応じた種々の材質や形状のタッピングパッドを交換自在にして継続的使用を可能にし、且つタッピングの効果を向上させることができる美顔器を提供することを目的とするものである。
【課題を解決するための手段】
【０００９】
上記目的を達成するための本発明の構成を詳述すれば、請求項１に係る発明は、タッピング手段と、当該タッピング手段にタッピング動作を生起させるタッピング駆動手段と、前記タッピング駆動手段の動作を制御するタッピング制御手段とを有してなる美顔器において、前記タッピング手段はタッピングパッドとタッピングパッド固定部を備え、前記タッピングパッド固定部と前記タッピング駆動手段とを交換可能に繋止したことを特徴とする美顔器である。
【００１０】
また、請求項２に係る発明は、前記タッピングパッドは、トルマリン粒子、セラミック粒子、ゲルマニウム粒子または金属シリコン粒子のうちのいずれかを一つを含有することを特徴とする請求項１に記載の美顔器である。
【発明の効果】
【００１１】
本発明に係る美顔器によれば、皮膚の状況に応じた種々の材質や形状のタッピングパッドを選択することができるので、飽きずに使用を継続することができ、従ってタッピングの効果を上げることができると共に、トルマリン、セラミック、金属シリコンが及ぼす諸効果によって一層の整肌美容を図ることができる。
【図面の簡単な説明】
【００１２】
【図１】本発明に係る美顔器の第１の実施形態における構造を示す断面図である。
【図２】本発明に係る美顔器の第１の実施形態における動作を説明する断面図である。
【図３】本発明に係る美顔器の第１の実施形態におけるタッピングパッドの選択例を示す断面図である。
【図４】本発明に係る美顔器の第２の実施形態における構造を示す断面図である。
【図５】従来の美顔器の構造を示す断面図である。
【発明を実施するための形態】
【００１３】
本発明に係る美顔器は、顔などの皮膚を連続的に叩くいわゆるタッピング動作によって顔をマッサージする美顔器に関するものであり、タッピングパッドの構造や材質を変え、使用者に最適なタッピングを行うものである。また、タッピングパッドにはトルマリンやセラミックあるいは金属シリコンなど、体に良いとされている自然の鉱物や鉱石などを含ませることができる。
【実施例１】
【００１４】
次に、図１〜図３を用いて本発明に係る美顔器の第１の実施形態を詳述する。
図中１は美顔器の全体を示し、当該美顔器１は、タッピング手段２、タッピング駆動手段３及びタッピング制御手段４を有している。タッピング手段２はタッピングパッド２１及びタッピングパッド固定部２２から構成されており、タッピング駆動手段３は少なくとも可動片３１、可動軸３２、コイル３３、マグネット３４及びスプリング３５を有している。タッピング制御手段４は回路基板４１とスイッチ４２から構成される。その他、図中の５は美顔器１を構成するハウジング、５１は電池カバー、６は電池電源をそれぞれ示すものである。
【００１５】
タッピング手段２を構成するタッピングパッド２１の基部中心には凹陥部を形成してあり、当該凹陥部内にタッピングパッド固定部２２が設けられている。また、タッピングパッド固定部２２には溝部２２ａを形成してあり、当該溝部２２ａにタッピング駆動手段３を構成する可動軸３２の先端部を圧入して固定するようになっている。従って、タッピングパッド固定部２２の溝部２２ａから可動軸３２の先端部を取り外して、タッピングパッド２１を目的に応じて自在に交換することができるものである。
【００１６】
可動軸３２は可動片３１に固定ピン３１ａによって繋止されている。可動片３１は常時マグネット３４の磁力によって図１に示す位置に固定されているが、コイル３３に一定値以上の電流が流れると、図２に示すように、可動片３１はコイル３３が発生する磁界によって矢印Ｐで示す方向に突き出されると共に、可動軸３２に繋止されたタッピングパッド２１も突き出され、顔をタッピングすることができる。
【００１７】
コイル３３に流れる電流が遮断されると、可動片３１と可動軸３２とはスプリング３５に蓄えられていたバネ力によって元の位置に戻り、可動軸３２に取付けられたタッピングパッド２１も元の位置に戻る。すなわちコイル３３に流れる電流の持続時間や電流の繰り返し周期によって、タッピングパッド２１が突き出ている時間やタッピングの周期が決まる。
【００１８】
図１において、タッピング制御手段４を構成する回路基板４１はタッピング駆動手段３のコイル３３に流す電流の絶対値、持続時間、繰り返し周期などを制御する。
なお、回路基板４１と、タッピング駆動手段３を構成する可動片３１、可動軸３２、コイル３３、マグネット３４及びスプリング３５は、支持台５２を介してハウジング５内に配設されている。
スイッチ４２は回路基板４１の動作をオン−オフする。電池６は美顔器１を駆動する電源で、電池カバー５１を用いてハウジング５内に収納される
【００１９】
図３（ａ）および図３（ｂ）に示すように、美顔器１は、目的に応じて数種類のタッピングパッド２１を交換して使用することができる。詳細の説明については後述する。
【００２０】
図１〜図３を用いて本発明に係る美顔器１の動作を説明する。
図１はタッピング駆動手段３のコイル３３に電流が流れていない状態を示しており、タッピングパッド２１は突き出ていない。
【００２１】
図２において、使用者が美顔器１のスイッチ４２をオンにすると、回路基板４１はマグネット３４の磁力より大きくかつ逆極性の磁力を発生させるような電流をコイル３３に流す。すると、コイル３３に流れる電流によって、可動片３１に繋止された可動軸３２及びタッピングパッド２１は、スプリング３５の付勢力に抗して図２の矢印Ｐに示す方向に突出する。
【００２２】
タッピングパッド２１が突出したことによってタッピング駆動手段３のスプリング３５は収縮しているので、回路基板４１がコイル３３に流す電流を遮断すると、可動片３１に繋止された可動軸３２及びタッピングパッド２１はスプリング３５の付勢力によって元の位置に後退する。
回路基板４１は、コイル３３に流す電流の絶対値、電流が流れる時間、繰り返し時間を目的に応じ設定し、タッピングの動作を制御する。
【００２３】
また、皮膚の状態によっては、タッピングパッド２１の材質や形状を変更する必要が生じる。そこで、図３を用いてタッピングパッド２１の交換の方法を説明する。
【００２４】
図３はタッピングの目的に応じて選択可能な２例のタッピングパッド２１を示したものであるが、タッピングパッド２１の形状は図示の実施形態に限られるものではなく、様々な形態に変更することができ、そのような変更例も本発明の範囲に含まれるものであることは勿論である。以下に詳述する。
【００２５】
図３（ａ）において、タッピングパッド２１は高分子材料を用い先端が鋭角状に形成されており、このタッピングパッド２１は、局所的に刺激を加える必要がある場合などに用いられる。また、タッピングパッド固定部２２は溝部２２ａを備えており、タッピング駆動手段３の可動軸３２によって着脱が可能である。
【００２６】
図３（ｂ）のタッピングパッド２１はネオプレンなどのゴム材料を用い先端は曲面状に形成されている。このタッピングパッド２１は、たとえば刺激を低減させた柔らかいタッピングが必要なときに用いられる。図３（ｂ）に示すタッピングパッド固定部２２の溝部２２ａについては図３（ａ）に示す実施例と同様なので重複する説明は省略する。
【実施例２】
【００２７】
次に、図４を用いて本発明に係る美顔器の第２の実施形態を説明する。
図４は本発明に係る美顔器の第２の実施形態の構造を示す断面図であり、美顔器１ａは、タッピング手段２を構成するタッピングパッド２１として高分子材料の基材にトルマリン（電気石）粒子７を含有させている。
【００２８】
なお、トルマリン粒子７の他に、セラミックあるいは金属シリコン、ゲルマニウムなどの粒子を含有させることも可能である。また、タッピングパッド２１の先端の波形は一例であり他の形状も採用可能である。
美顔器１ａの他の構造や動作は、前記した第１の実施形態と同様であり、同一の構造要素には同一の要素番号を付与し重複する説明は省略する。
【００２９】
以上述べたように本発明による美顔器によれば、皮膚の状況や目的に応じた種々の材質や形状のタッピングパッドを選択することができるので、飽きずに使用を継続することができる。従ってタッピングの効果をこれまで以上に上げることができると共に、トルマリン、セラミック、ゲルマニウムあるいは金属シリコンが及ぼす諸効果によって一層の整肌美容を図ることができる。
【符号の説明】
【００３０】
１，１ａ：美顔器
２：タッピング手段
２１：タッピングパッド
２２：タッピングパッド固定部
２２ａ：溝部
３：タッピング駆動手段
３１：可動片
３１ａ：固定ピン
３２：可動軸
３３：コイル
３４：マグネット
３５：スプリング
４：タッピング制御手段
４１：回路基板
４２：スイッチ
５：ハウジング
５１：電池カバー
６：電池
７：トルマリン粒子
【図１】
2013119018.tif 000003
【図２】
2013119018.tif 000004
【図３】
2013119018.tif 000005
【図４】
2013119018.tif 000006
【図５】
2013119018.tif 000007